(57)【要約】【課題】下地材の大きさを容易に測定して、下地材の大きさに合わせ、極めて迅速かつ正確に、直接シート状材に測定した寸法を移すことができる寸法測定器具を提供する。【解決手段】シート状材１２を上板１４と下板１６とで挟持し、上板１４の端面１４ｃに沿ってシート状材１２に目印を付けるための寸法測定器具１０であって、弾性変形可能な部材から成る棒板状の上板１４と、棒板状の下板１６と、上板１４と下板１６とに挟まれる位置にある所定厚さを有する中間部材１８とを有し、上板１４と下板１６とが、中間部材１８の厚さに応じた間隔を有して連結され、上板１４の上面１４ａと下板１６の下面１６ｂとを把持して、上板１４の上面１４ａに力を加えることにより、上板１４が変形し、上板１４の下面１４ｂと、下板１６の上面１６ａとでシート状材１２が挟持される。【選択図】図１
2017137661.tif 000002
【特許請求の範囲】
【請求項１】
シート状材を上板と下板とで挟持し、前記上板の端面に沿って前記シート状材に目印を付けるための寸法測定器具であって、
弾性変形可能な部材から成る棒板状の上板と、
棒板状の下板と、
前記上板と前記下板とに挟まれる位置にある所定厚さを有する中間部材とを有し、
前記上板と前記下板とが、前記中間部材の厚さに応じた間隔を有して連結され、
前記上板の上面と前記下板の下面とを把持して、前記上板の上面に力を加えることにより、前記上板が変形し、前記上板の下面と、前記下板の上面とで前記シート状材が挟持されることを特徴とする寸法測定器具。
【請求項２】
前記下板は、前記シート状材が取り付けられる下地材に当接する当接面を端部に有することを特徴とする請求項１に記載の寸法測定器具。
【請求項３】
前記上板の前記端面と前記下板の前記当接面との相対的な位置を調整する調整機構を有することを特徴とする請求項２に記載の寸法測定器具。
【請求項４】
前記上板は、透明であることを特徴とする請求項１から請求項３のいずれか一項に記載の寸法測定器具。
【請求項５】
前記上板もしくは前記下板の長手方向に目盛りが付されていることを特徴とする請求項１から請求項４のいずれか一項に記載の寸法測定器具。
【請求項６】
前記上板と、前記中間部材との間に滑り止め材が設けられていることを特徴とする請求項１から請求項５のいずれか一項に記載の寸法測定器具。
【請求項７】
前記シート状材が、畳表であることを特徴とする請求項１から請求項６のいずれか一項に記載の寸法測定器具。
【発明の詳細な説明】
【技術分野】
【０００１】
本発明は、シート状材を把持して使用する寸法測定器具に関する。
【背景技術】
【０００２】
壁紙、フローリング材、畳表などのシート状材は、シート状材が取り付けられる下地材の形状に合ったものが使用される。シート状材の形状を下地材に合わせるには、予め物差しやメジャーなどの測定器具を用いて、読み取り元となる下地材の寸法を必要各所ごとに測定し、再度、物差しやメジャーなどの測定器具を用いて、対応するシート状材に測定した数値を移して目印を付ける。そして、シート状材を目印に沿って切断すれば、下地材の形状に合わせることができる。
【０００３】
畳表の縁部を切断する際に用いられる器具であり、器具の一部を手で握って持つことで畳表の縁部を保持し、カッター部を動かして畳表の縁部を切断する畳表縁部切断具が特許文献１に開示されている。
【先行技術文献】
【特許文献】
【０００４】
【特許文献１】特開２００６−８８３１２号公報
【発明の概要】
【発明が解決しようとする課題】
【０００５】
物差しやメジャーなどの測定器具を用いた方法では、測定した下地材の寸法を随時、記憶および記録しなければならず、対応するシート状材に再び寸法を移していくため、煩雑な手間と時間を必要とする。また、下地材とシート状材とは、別々に採寸測定するため、それぞれに対応する測定箇所においてズレが発生しやすく、正確な寸法をシート状材に素早く移すには困難であるという課題がある。さらに、物差しやメジャーにおける寸法目盛りの読み取り時、および、その寸法を墨付けや刻印等によってシート状材に移すときは、目視に頼ることが多いため測定誤差が発生するおそれがある。加えて、読み取り元となる下地材が、三角形や多角形など矩形以外の測定しにくい形状の場合は、その都度、角度を測定したり補助となる対角寸法を測定したりするなど、より複雑な測定が必要となり、実作業が極めて煩雑なものとなっている。また、特許文献１に示す畳表縁部切断具では、畳表の縁部にセッティングするのに時間が掛かってしまう課題がある。さらに、下地材が三角形、矩形以外の多角形、例えば内角が１８０°以上となる箇所が含まれる測定しにくい形状の場合、辺の長さが短い形状の場合では使いづらく、狭小な場所でも使いづらい。
【０００６】
そこで本発明は上記課題を解決するためになされたもので、その目的とするところは、下地材の大きさを容易に測定して、下地材の大きさに合わせ、極めて迅速かつ正確に、直接シート状材に測定した寸法を移すことができる寸法測定器具を提供することにある。
【課題を解決するための手段】
【０００７】
上記の目的を達成するため、本発明の寸法測定器具は次の構成を備える。すなわち本発明は、シート状材を上板と下板とで挟持し、前記上板の端面に沿って前記シート状材に目印を付けるための寸法測定器具であって、弾性変形可能な部材から成る棒板状の上板と、棒板状の下板と、前記上板と前記下板とに挟まれる位置にある所定厚さを有する中間部材とを有し、前記上板と前記下板とが、前記中間部材の厚さに応じた間隔を有して連結され、前記上板の上面と前記下板の下面とを把持して、前記上板の上面に力を加えることにより、前記上板が変形し、前記上板の下面と、前記下板の上面とで前記シート状材が挟持されることを特徴とする。この構成によれば、下地材の形状に合わせたシート状材の寸法を容易に測定することができる。
【０００８】
また、本発明において、前記下板は、前記シート状材が取り付けられる下地材に当接する当接面を端部に有してもよい。これによれば、当接面を下地材に当接させてからシート状材を安定して挟持でき、シート状材に目印が付けやすく下地材の形状に合ったシート状材を得ることができる。
【０００９】
また、本発明において、前記上板の前記端面と前記下板の前記当接面との相対的な位置を調整する調整機構を有してもよい。これによれば、当接面を下地材に当接させ、下地材の形状よりも一定の長さだけ大きい範囲もしくは小さい範囲に目印を付けることが可能である。
【００１０】
また、本発明において、前記上板は、透明であってもよい。これによれば、シート状材が挟持されたときに、挟まれるシート状材の範囲、長さの目安がわかり、所望の大きさの箇所に目印が付けやすい。
【００１１】
また、本発明において、前記上板もしくは前記下板の長手方向に目盛りが付されていてもよい。これによれば、挟持されたシート状材における挟持された部分の長さを測定でき、より正確な位置に目印を付けることができる。
【００１２】
また、本発明において、前記上板と、前記中間部材との間に滑り止め材が設けられていてもよい。これによれば、上板が滑りにくくなり、下地材の大きさに合わせたより正確な位置に目印を付けることができる。
【００１３】
また、本発明において前記シート状材が、畳表であってもよい。これによれば、畳床の大きさに合わせて、畳表に目印を付けることができ、物差しやメジャーなどの測定器具を用いなくても畳床に合わせた大きさの畳表を正確に得ることができる。
【発明の効果】
【００１４】
本発明に係る寸法測定器具によれば、下地材の大きさを容易に測定して、下地材の大きさに合わせ、極めて迅速かつ正確に、直接シート状材に測定した寸法を移すことができる。
【図面の簡単な説明】
【００１５】
【図１】本実施形態の寸法測定器具の斜視図であり、シート状材を挟む前の初期形状である。
【図２】本実施形態の寸法測定器具の斜視図であり、シート状材を上板と下板とで挟持している変形後の形状である。
【図３】本実施形態の寸法測定器具の側面図であり、（ａ）は初期形状、（ｂ）は変形後の形状である。
【図４】本実施形態の寸法測定器具の平面図である。
【図５】本実施形態の寸法測定器具を多角形の下地材に当接させたときの一例を示す図である。
【発明を実施するための形態】
【００１６】
以下、本発明の実施形態について、図に基づいて説明する。図１は、本実施形態の寸法測定器具１０の斜視図であり、シート状材１２を挟む前の初期形状を示す。図２は本実施形態の寸法測定器具１０の斜視図であり、シート状材１２を上板１４と下板１６とで挟持している変形後の形状を示す。図３は、本実施形態の寸法測定器具１０の側面図であり、シート状材１２および下地材２８を示す。図３（ａ）は初期形状、図３（ｂ）は変形後の形状を示す。図４は、本実施形態の寸法測定器具１０の平面図である。図５は、本実施形態の寸法測定器具１０を多角形の下地材２８に当接させたときの一例を示す図である。
【００１７】
本実施形態に係る寸法測定器具１０は、シート状材１２を上板１４と下板１６とで挟持し、上板１４の端面１４ｃに沿ってシート状材１２に目印を付けるための寸法測定器具１０である。なお、便宜上、図面の上側を上方向、下側を下方向として、上板１４と下板１６と区別して説明するが、寸法測定器具１０を使用する場合は、上板１４を上側、下板１６を下側に向けて使用することに限定されない。
【００１８】
上板１４および下板１６は棒板状であり、上板１４、下板１６の水平面上の長手方向に対して直角な方向を幅方向とする。上板１４と下板１６とに挟まれる位置には所定厚さを有する中間部材１８が設けられ、中間部材１８の長手方向の長さは、上板１４および下板１６よりも短く、上板１４と下板１６とが、中間部材１８の厚さに応じた間隔を有して連結されている。上板１４および下板１６について、それぞれ垂直方向にある上下の面について、上板１４の上面１４ａ、上板１４の下面１４ｂ、下板１６の上面１６ａ、下板１６の下面１６ｂとする。なお、上板１４と中間部材１８と下板１６との連結は、ねじ２０、座金２２などの部材を用いて固定する。上板１４、下板１６、中間部材１８に用いられる材料により、さらにナット（図示せず）を下板１６の下面１６ｂに用いて固定する。また、中間部材１８と下板１６とは、例えば切削や一体成型により一体となって加工された形状の部材を用い、この一体となった部材と上板１４とを連結してもよい。
【００１９】
図１、図２に示す矢印Ａが示す方向は、寸法測定器具１０の先端とする。また、矢印Ｂが示す方向は、寸法測定器具１０の後端として区別する。中間部材１８は寸法測定器具１０の長手方向に対する中央よりも後端側にあり、図１、図２では、中間部材１８は後端の位置にあるように示されている。先端側には、上板１４と下板１６との間に、中間部材１８の厚さに応じた間隔があるため、先端側の上板１４と下板１６とでシート状材１２を挟持できる。また、後端はシート状材１２が挟持されない側である。なお、上記の上板１４の端面１４ｃは先端に有する。
【００２０】
棒板状の上板１４の上面１４ａと下面１４ｂとは平行な位置関係にあり、同様に棒板状の下板１６の上面１６ａと下面１６ｂとは基本的には平行な位置関係にあるが、それにとらわれることはない。上板１４や下板１６の先端もしくは全体がテーパ状になって先端が薄くなり、シート状材への墨付けや切込を入れやすくしてもよい。用いる中間部材１８の形状は特に限定されないが、直方体状の中間部材１８を用いることで、上板１４と下板１６は平行に配置される。上板１４の上面１４ａと下板１６の下面１６ｂの形状は任意であり、滑り止めの凹凸やグリップ形状を施すことも可能である。
【００２１】
上板１４と下板１６と中間部材１８とが連結されることで、本実施形態の寸法測定器具１０の全体を片手で握って持つことが可能となり、滑り止めの凹凸やグリップ形状があればしっかりと握れる。上板１４および下板１６の幅は、握りながら指の腹で押さえ付け可能な範囲であり、約１ｃｍ〜５ｃｍの範囲になる。長手方向の長さは特に限定されるものではないが、上板１４が変形して片手で握って持つことができればよく、上板１４および下板１６の長さは約１０〜５０ｃｍの範囲となり、挟持されるシート状材１２の大きさに合わせて使用できる。中間部材１８の長さも特に限定されるものではなく、約５〜１５ｃｍの範囲となる。上板１４の厚さは下板１６の厚さよりも薄く、約１〜５ｍｍ程度、下板１６の厚さは約１０〜２０ｍｍ、中間部材１８の厚さはシート状材１２の厚さに応じて適宜変更できるものであり、約１０〜３０ｍｍである。特に、上板１４および下板１６の長さが長い場合、中間部材１８は厚い方が使いやすくなる。
【００２２】
握り方の一例として、上板１４の上面１４ａに親指の腹を当て、下板１６の下面１６ｂの他の４本のうちのいずれか指の腹を当てて把持する。上板１４は弾性変形可能であるので、親指を動かして上板１４の上面１４ａに力を加えることで変形する。上板１４と下板１６との間隙にシート状材１２を差し込んでから上板１４の上面１４ａに力を加えると上板１４の下面１４ｂと、下板１６の上面１６ａとでシート状材１２が挟持される。上板１４の上面１４ａに加えた力を取り除くと上板１４は元の初期形状に戻る。
【００２３】
上板１４の上面１４ａに力を加えたときの支点Ｘは上板１４と中間部材１８との境界面上であり、中間部材１８の先端側の面と交差する線上にある。また、作用点Ｙは上板１４の先端側となる。
【００２４】
また、下板１６は、シート状材１２が取り付けられる下地材２８に当接する当接面１６ｃを先端部に有する。先端にある当接面１６ｃをシート状材１２が取り付けられる下地材２８に当接させると、寸法測定器具１０を安定して把持することができる。さらに当接面１６ｃが平面であれば、より安定した状態となる。寸法測定器具１０を安定した状態で把持し、下地材２８に固定され、目印を付ける前のシート状材１２を挟持することで、シート状材１２の所望する位置に正確に目印を付けることができる。下板１６の先端もしくは全体がテーパ状になって先端に向かって下板１６が厚くなるようにし、より安定した当接面１６を有するようにしてもよい。また、下板１６の先端を鍵状に曲げても同様の効果が得られる。
【００２５】
シート状材１２に目印を付けるには、シート状材１２を挟持しながら、上板１４の端面１４ｃを定規のようにして使用し、端面１４ｃに鉛筆やペンなどの筆記用具、またはカッターなどの切断器具をあてがい、線を引いたり切断したりして目印を付ける。ハンディー型の寸法測定器具１０であるので、大型の器具とは異なり、セッティングに時間が掛からない。シート状材１２を把持してから目印を付けるまでの一連の動作は非常に短時間で行うことができ、簡単に正確に直接シート状材１２に測定した寸法を移すことができる。寸法測定器具１０で目印を付けた箇所を、より長い定規や物差しを用い、順次繋げるようにして切断することで、所望の大きさ、例えば下地材２８の大きさに合わせたシート状材１２を得ることができる。
【００２６】
上板１４の端面１４ｃと下板１６の当接面１６ｃとの相対的な位置を調整する調整機構２６を有する。調整機構２６は、上板１４と下板１６との長手方向に対する位置関係を調整するものである。調整機構２６の一例として、上板１４に長手方向に伸びた長穴２４とねじ２０、座金２２であり、これらを用いることで相対的な位置を調整できる。
【００２７】
調整機構２６として、ねじ２０、座金２２、上板１４に設けられた長穴２４を用いる場合、調整は、上板１４の長穴２４にねじ２０を回し入れて仮止めした状態にしておいて行う。シート状材１２を下地材２８の貼り付ける面の大きさに合わせる場合は、シート状材１２を挟持した状態のときに端面１４ｃと当接面１６ｃの位置が合うように上板１４を動かす。また、下地材２８の大きさより長い、広い大きさとなるようにシート状材１２を切断する場合は、上板１４を後端側に引いて下板１６が先端側に突き出た状態になるよう動かす。またこれとは逆である下地材２８の大きさよりも短い、狭い範囲となるようにシート状材１２を切断する場合は、上板１４が先端側に突き出た状態になるように動かす。
【００２８】
また、上板１４の端面１４ｃの位置は、シート状材１２を挟持したときにシート状材１２の厚さに応じて変えることもできる。上板１４が変形してシート状材１２が挟持されるとき、シート状材１２が厚い場合と薄い場合を比較すると、シート状材１２が厚いときは薄いときに比べて上板１４が先端側に突き出る。このため、シート状材１２の厚さに応じて端面１４ｃを適した位置に調整することもできる。調整後は、ねじ２０を締め付けて固定する。
【００２９】
シート状材１２は、畳表、壁紙、フローリング材、テーブルクロスなどに用いられるものであり、布、紙、ビニールなどの素材から成るものや、その他にもベニヤなどの木質板、金属板、樹脂板などの薄板状のものが含まれる。これらのシート状材１２を、畳床、壁、床、テーブルの形状に合わせて被覆したり切り合わせたりする。また、シート状材１２の素材や物性、状態に合わせて上板１４、下板１６、中間部材１８の素材を変更し、適用すればよく、例えば、シート状材１２として高温の金属板に目印を付ける場合は、高温に耐性がある上板１４、下板１６、中間部材１８を用いればよい。シート状材１２の厚さは特に限定されるものではないが、中間部材１８の高さ（厚さ）を変えることで、上板１４と下板１６との間隔を変えることができ、シート状材１２の厚さに適した間隔で寸法測定器具１０を使用できる。
【００３０】
また、特に、上板１４は、透明な素材から成る部材であることが好ましい。シート状材１２を透明な上板１４で挟持することで、挟持されるシート状材１２のおおよその長さや幅を読み取ることができる。弾性変形可能であり、透明な上板１４として、アクリル板など。アクリル樹脂やその他樹脂が挙げられる。
【００３１】
また、上板１４もしくは下板１６の長手方向に目盛りが付されている。上板１４に目盛りが付されている場合、シート状材１２が挟持されているときに、挟持されるシート状材１２の正確な長さや幅を読み取ることができる。目盛りは用途に合わせて、メートル法、尺貫法（寸・尺）、ヤード・ポンド法（インチ・フィート）などの単位を付す。
【００３２】
上板１４の下面１４ｂと、中間部材１８との間には、滑り止め材が設けられていて、上板１４が滑って端面１４ｃの位置が矢印Ａもしくは矢印Ｂ方向に動いてしまうことを防止できる。滑り止め材としては、フェルト生地やゴムシート材などが挙げられる。
【００３３】
図５には下地材２８の形状の一例を示し、窪みを有する形状（内角が１８０°以上）、頂点における内角が９０°ではない形状の場合であっても、本実施形態の寸法測定器具１０は対応でき、下地材２８の大きさに合わせて正確に測定した寸法を移すことができる。目印は、下地材２８の辺に対応させるため、少なくともシート状材１２の２箇所に目印を付ければよく、目印を付けた箇所を繋げるようにして切断する。さらに、より複雑な形状や１辺が長い場合などは、２箇所を結ぶ中央付近において目印を付けて３箇所、さらに細かく四半分付近に目印を付けた５箇所、屈曲点または湾曲する箇所において必要に応じて目印を付ければよい。
【００３４】
各図では、中間部材１８の後端側の面は上板１４、下板１６の後端側の面と同一になるように示されているが、中間部材１８の後端側の面を上板１４、下板１６の後端側の面よりも突き出るようにして連結してもよい。突き出た部分に穴を開けて紐を通すことで、壁に掛けることもでき、把持する前に手首にぶら下げることもできる。
【符号の説明】
【００３５】
１０  寸法測定器具
１２  シート状材
１４  上板
１４ａ  上面
１４ｂ  下面
１４ｃ  端面
１６  下板
１６ａ  上面
１６ｂ  下面
１６ｃ  当接面
１８  中間部材
２０  ねじ
２２  座金
２４  長穴
２６  調整機構
２８  下地材
Ｘ  支点
Ｙ  作用点
【図１】
2017137661.tif 000003
【図２】
2017137661.tif 000004
【図３】
2017137661.tif 000005
【図４】
2017137661.tif 000006
【図５】
2017137661.tif 000007